【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
遊技球が流下する遊技領域を有する遊技盤と、
前記遊技盤に設けられ、前記遊技領域を流下する遊技球が入賞可能な特定入賞口と、
前記特定入賞口への前記遊技球の入賞を起因に、当否判定を受けるための当否判定権利を発生させ、且つ、当該当否判定権利に対応する乱数を取得する乱数取得手段と、
前記当否判定権利に対応する乱数を、予め定められた保留上限数まで記憶して保留することが可能な乱数記憶手段と、
前記当否判定権利に対応する乱数を用いて当否判定を行う当否判定手段と、
前記当否判定権利の発生に基づいて、特別図柄を変動表示後、停止表示することによって、前記当否判定の結果を表示する表示手段と、
前記当否判定手段による当否判定の結果が当たりになることに基づいて遊技者に特典を付与する特典付与実行手段と、を有する遊技機であって、
前記当否判定権利は、複数の当否判定権利により構成され、
前記複数の当否判定権利は、少なくとも第１当否判定権利と、前記第１当否判定権利と異なる第２当否判定権利を有し、
前記特定入賞口に対応する前記当否判定権利は、前記第１当否判定権利或いは前記第２当否判定権利の何れかが設定されるように構成されると共に、
前記特定入賞口への前記遊技球の入賞毎に、前記第１当否判定権利或いは前記第２当否判定権利の何れか一方に設定されている当否判定権利を、他の当否判定権利に切替設定する判定権利切替設定手段を備える
ことを特徴とする遊技機。
【請求項２】
前記第２当否判定権利は、前記第１当否判定権利よりも遊技者に有利な特典を付与することが可能である
ことを特徴とする請求項１に記載の遊技機。
【請求項３】
前記乱数記憶手段は、少なくとも、
前記判定権利切替設定手段により設定された第１当否判定権利に対応して取得された乱数を、予め定められた第１保留上限数まで記憶して保留することが可能な第１乱数記憶手段と、
前記判定権利切替設定手段により設定された第２当否判定権利に対応して取得された乱数を、予め定められた第２保留上限数まで記憶して保留することが可能な第２乱数記憶手段と、を有する
ことを特徴とする請求項１又は請求項２に記載の遊技機。
【請求項４】
前記乱数記憶手段は、少なくとも、 
前記判定権利切替設定手段により設定された第１当否判定権利に対応して取得された乱数を、予め定められた第１保留上限数まで記憶して保留することが可能な第１乱数記憶手段と、
前記判定権利切替設定手段により設定された第２当否判定権利に対応して取得された乱数を、予め定められた第２保留上限数まで記憶して保留することが可能な第２乱数記憶手段と、を有し、
前記判定権利切替設定手段は、
前記第１当否判定権利が設定されている状態で、前記第１乱数記憶手段に前記第１保留上限数分の乱数が保留された場合に、前記第２当否判定権利に切替設定する一方、前記第２当否判定権利が設定されている状態で、前記第２乱数記憶手段に前記第２保留上限数分の乱数が保留された場合に、前記第１当否判定権利に切替設定する
ことを特徴とする請求項１記載の遊技機。
【手続補正２】
【補正対象書類名】明細書
【補正対象項目名】０００７
【補正方法】変更
【補正の内容】
【０００７】
本発明の一側面に係る請求項１記載の遊技機は、遊技球が流下する遊技領域を有する遊技盤と、前記遊技盤に設けられ、前記遊技領域を流下する遊技球が入賞可能な特定入賞口と、前記特定入賞口への前記遊技球の入賞を起因に、当否判定を受けるための当否判定権利を発生させ、且つ、当該当否判定権利に対応する乱数を取得する乱数取得手段と、前記当否判定権利に対応する乱数を、予め定められた保留上限数まで記憶して保留することが可能な乱数記憶手段と、前記当否判定権利に対応する乱数を用いて当否判定を行う当否判定手段と、前記当否判定権利の発生に基づいて、特別図柄を変動表示後、停止表示することによって、前記当否判定の結果を表示する表示手段と、前記当否判定手段による当否判定の結果が当たりになることに基づいて遊技者に特典を付与する特典付与実行手段と、を有する遊技機であって、前記当否判定権利は、複数の当否判定権利により構成され、前記複数の当否判定権利は、少なくとも第１当否判定権利と、前記第１当否判定権利と異なる第２当否判定権利を有し、前記特定入賞口に対応する前記当否判定権利は、前記第１当否判定権利或いは前記第２当否判定権利の何れかが設定されるように構成されると共に、前記特定入賞口への前記遊技球の入賞毎に、前記第１当否判定権利或いは前記第２当否判定権利の何れか一方に設定されている当否判定権利を、他の当否判定権利に切替設定する判定権利切替設定手段を備えることを特徴とする。
【手続補正３】
【補正対象書類名】明細書
【補正対象項目名】０００８
【補正方法】変更
【補正の内容】
【０００８】
当該遊技機は、遊技盤と、特定入賞口と、乱数取得手段と、乱数記憶手段と、当否判定手段と、表示手段と、特典付与実行手段と、判定権利切替設定手段と、を有しており、判定権利切替設定手段によって、前記特定入賞口に対応する前記当否判定権利として設定されている前記第１当否判定権利或いは前記第２当否判定権利の何れかを、前記特定入賞口への前記遊技球の入賞毎に、前記第１当否判定権利或いは前記第２当否判定権利の何れか一方に設定されている当否判定権利を、他の当否判定権利に切替設定する。これにより、当該遊技機によれば、特定入賞口に対応する複数種類の当否判定（第１当否判定権利、第２当否判定権利）における入賞（判定）割合を安定させることができ、多種多様なバリエーションを実現し得る。
【手続補正４】
【補正対象書類名】明細書
【補正対象項目名】０００９
【補正方法】変更
【補正の内容】
【０００９】
本発明の一側面に係る請求項２記載の遊技機は、請求項１に記載の遊技機であって、前記第２当否判定権利は、前記第１当否判定権利よりも遊技者に有利な特典を付与することが可能であることを特徴とする。
【手続補正５】
【補正対象書類名】明細書
【補正対象項目名】００１０
【補正方法】変更
【補正の内容】
【００１０】
当該遊技機は、特定入賞口に対応する第１当否判定権利と、前記第１当否判定権利よりも遊技者に有利な特典を付与することが可能な第２当否判定権利の当否判定における入賞（判定）割合を安定させることができ、多種多様なバリエーションを実現し得る。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
本発明の一側面に係る請求項３記載の遊技機は、請求項１又は請求項２に記載の遊技機であって、前記乱数記憶手段は、少なくとも、前記判定権利切替設定手段により設定された第１当否判定権利に対応して取得された乱数を、予め定められた第１保留上限数まで記憶して保留することが可能な第１乱数記憶手段と、前記判定権利切替設定手段により設定された第２当否判定権利に対応して取得された乱数を、予め定められた第２保留上限数まで記憶して保留することが可能な第２乱数記憶手段と、を有することを特徴とする。
【手続補正１１】
【補正対象書類名】明細書
【補正対象項目名】００１７
【補正方法】変更
【補正の内容】
【００１７】
本発明の一側面に係る請求項４記載の遊技機は、請求項１記載の遊技機であって、前記乱数記憶手段は、少なくとも、前記判定権利切替設定手段により設定された第１当否判定権利に対応して取得された乱数を、予め定められた第１保留上限数まで記憶して保留することが可能な第１乱数記憶手段と、前記判定権利切替設定手段により設定された第２当否判定権利に対応して取得された乱数を、予め定められた第２保留上限数まで記憶して保留することが可能な第２乱数記憶手段と、を有し、前記判定権利切替設定手段は、記第１当否判定権利が設定されている状態で、前記第１乱数記憶手段に前記第１保留上限数分の乱数が保留された場合に、前記第２当否判定権利に切替設定する一方、前記第２当否判定権利が設定されている状態で、前記第２乱数記憶手段に前記第２保留上限数分の乱数が保留された場合に、前記第１当否判定権利に切替設定することを特徴とする。
【手続補正１２】
【補正対象書類名】明細書
【補正対象項目名】０１６１
【補正方法】変更
【補正の内容】
【０１６１】
更に、上述した実施形態では、一の第１入賞口２０が本発明に係る「特定入賞口」として機能していたが、この態様に限定されるものではない。例えば、遊技領域Ｒ内に配設されている複数の入賞口を、本発明に係る「特定入賞口」として機能させてもよい。
上述した実施形態として具体化した本発明の各側面については、以下の手段（１）〜手段（６）として概念的に説明することができる。
（手段（１）の構成）
本発明の一側面に係る手段（１）としての遊技機は、遊技球が流下する遊技領域を有する遊技盤と、前記遊技盤に設けられ、前記遊技領域を流下する遊技球が入賞可能な特定入賞口と、前記特定入賞口への前記遊技球の入賞を起因に、当否判定を受けるための当否判定権利を発生させ、且つ、当該当否判定権利に対応する乱数を取得する乱数取得手段と、前記当否判定権利に対応する乱数を、予め定められた保留上限数まで記憶して保留することが可能な乱数記憶手段と、前記当否判定権利に対応する乱数を用いて当否判定を行う当否判定手段と、前記当否判定権利の発生に基づいて、特別図柄を変動表示後、停止表示することによって、前記当否判定の結果を表示する表示手段と、前記当否判定手段による当否判定の結果が当たりになることに基づいて遊技者に特典を付与する特典付与実行手段と、を有する遊技機であって、前記当否判定権利は、複数の当否判定権利により構成され、前記複数の当否判定権利は、少なくとも第１当否判定権利と、前記第１当否判定権利よりも遊技者に有利な特典を付与することが可能な第２当否判定権利を有し、前記特定入賞口に対応する前記当否判定権利は、前記第１当否判定権利或いは前記第２当否判定権利の何れかが設定されるように構成されると共に、予め定められた所定契機を起因として、前記特定入賞口に設定されている当否判定権利を他の当否判定権利に切替設定する判定権利切替設定手段を備えることを特徴とする。
（手段（１）の効果）
当該手段（１）に係る遊技機は、遊技盤と、特定入賞口と、乱数取得手段と、乱数記憶手段と、当否判定手段と、表示手段と、特典付与実行手段と、判定権利切替設定手段と、を有しており、判定権利切替設定手段によって、前記特定入賞口に対応する前記当否判定権利として設定されている前記第１当否判定権利或いは前記第２当否判定権利の何れかを、予め定められた所定契機を起因として、他の当否判定権利に切替設定する。これにより、当該遊技機によれば、特定入賞口に対応する複数種類の当否判定（第１当否判定権利、第２当否判定権利）における入賞（判定）割合を安定させることができ、多種多様なバリエーションを実現し得る。
（手段（２）の構成）
本発明の一側面に係る手段（２）としての遊技機は、手段（１）に記載の遊技機であって、前記判定権利切替設定手段によって前記特定入賞口に設定されている当否判定権利の取得回数を計数する計数カウンタを有し、前記判定権利切替設定手段は、前記計数カウンタの値が予め定められた切替回数に達した場合に、前記特定入賞口に設定されている当否判定権利を他の当否判定権利に切り替えることを特徴とする。
（手段（２）の効果）
当該手段（２）に係る遊技機は、前記計数カウンタの値が予め定められた切替回数に達した場合に、前記判定権利切替設定手段によって、前記特定入賞口に設定されている当否判定権利を他の当否判定権利に切り替える。従って、当該遊技機によれば、計数カウンタに対する切替回数を適宜設定することにより、特定入賞口に対応する複数種類の当否判定（第１当否判定権利、第２当否判定権利）における入賞（判定）割合を、所望の態様で安定させることができ、より多種多様なバリエーションを実現し得る。
（手段（３）の構成）
本発明の一側面に係る手段（３）としての遊技機は、手段（２）としての遊技機であって、前記切替回数は、前記複数の当否判定権利の種類毎に回数が設定されていることを特徴とする。
（手段（３）の効果）
当該手段（３）に係る遊技機において、前記計数カウンタの値が予め定められた切替回数に達した場合に、前記判定権利切替設定手段によって、前記特定入賞口に設定されている当否判定権利を他の当否判定権利に切り替える。ここで、切替回数は、複数の当否判定権利の種類毎に回数が設定されているので、当該遊技機によれば、計数カウンタに対する切替回数を適宜設定することにより、特定入賞口に対応する複数種類の当否判定（第１当否判定権利、第２当否判定権利）における入賞（判定）割合を、所望の態様で安定させることができ、より多種多様なバリエーションを実現し得る。
（手段（４）の構成）
本発明の一側面に係る手段（４）としての遊技機は、手段（１）に記載の遊技機であって、前記判定権利切替設定手段は、前記特定入賞口に前記遊技球が入賞した場合に、所定の乱数値範囲から前記当否判定用の乱数と異なる一の選択乱数を取得する選択乱数取得手段を有し、前記選択乱数取得手段によって取得された前記選択乱数に基づいて、前記特定入賞口に設定されている当否判定権利を、前記第１当否判定権利或いは前記第２当否判定権利の内、他方の当否判定権利に切り替えることを特徴とする。
（手段（４）の効果）
当該手段（４）に係る遊技機は、特定入賞口に前記遊技球が入賞した場合に、選択乱数取得手段によって取得された前記選択乱数に基づいて、判定権利切替設定手段によって、前記特定入賞口に設定されている当否判定権利を他の当否判定権利に切り替えることで、ランダム性を付与し得る。従って、当該遊技機によれば、特定入賞口に対応する複数種類の当否判定（第１当否判定権利、第２当否判定権利）における入賞（判定）割合を、所望の態様で安定させることができ、更に多種多様なバリエーションを実現し得る。
（手段（５）の構成）
本発明の一側面に係る手段（５）としての遊技機は、手段（１）乃至手段（４）の何れかに記載の遊技機であって、前記乱数記憶手段は、少なくとも、前記判定権利切替設定手段により設定された第１当否判定権利に対応して取得された乱数を、予め定められた第１保留上限数まで記憶して保留することが可能な第１乱数記憶手段と、前記判定権利切替設定手段により設定された第２当否判定権利に対応して取得された乱数を、予め定められた第２保留上限数まで記憶して保留することが可能な第２乱数記憶手段と、を有することを特徴とする。
（手段（５）の効果）
当該手段（５）に係る遊技機は、乱数記憶手段に、少なくとも、予め定められた第１保留上限数まで記憶して保留することが可能な第１乱数記憶手段と、予め定められた第２保留上限数まで記憶して保留することが可能な第２乱数記憶手段と、を有している。従って、当該遊技機によれば、特定入賞口への遊技球の入賞に係る保留を、見かけ上、より多く行うことができる。
（手段（６）の構成）
本発明の一側面に係る手段（６）としての遊技機は、手段（１）に記載の遊技機であって、前記乱数記憶手段は、少なくとも、前記判定権利切替設定手段により設定された第１当否判定権利に対応して取得された乱数を、予め定められた第１保留上限数まで記憶して保留することが可能な第１乱数記憶手段と、前記判定権利切替設定手段により設定された第２当否判定権利に対応して取得された乱数を、予め定められた第２保留上限数まで記憶して保留することが可能な第２乱数記憶手段と、を有し、前記判定権利切替設定手段は、記第１当否判定権利が設定されている状態で、前記第１乱数記憶手段に前記第１保留上限数分の乱数が保留された場合に、前記第２当否判定権利に切替設定する一方、前記第２当否判定権利が設定されている状態で、前記第２乱数記憶手段に前記第２保留上限数分の乱数が保留された場合に、前記第１当否判定権利に切替設定することを特徴とする。
（手段（６）の効果）
当該手段（６）に係る遊技機によれば、第１当否判定権利が設定されている状態で、前記第１乱数記憶手段に前記第１保留上限数分の乱数が保留された場合に、前記判定権利切替設定手段によって、前記第２当否判定権利に切替設定し、前記第２当否判定権利が設定されている状態で、前記第２乱数記憶手段に前記第２保留上限数分の乱数が保留された場合に、前記判定権利切替設定手段によって前記第１当否判定権利に切替設定するので、本来無効となる特定入賞口に対する遊技球の入賞を有効活用し得る。